Podtech/llm-jp-corpus-v4-ja_patent huggingface dataset:
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
表面側から順に第１ハードコート、及び樹脂フィルムの層を有し、
上記第１ハードコートは、
（Ａ）多官能（メタ）アクリレート １００質量部；及び
（Ｂ）撥水剤 ０．０１〜７質量部；
を含み、かつ無機粒子を含まない塗料からなり；
上記樹脂フィルムは、（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層を少なくとも１層含む；
ハードコート積層フィルム。
【請求項２】
上記（Ｂ）撥水剤が、（メタ）アクリロイル基含有フルオロポリエーテル系撥水剤を含む、請求項１に記載のハードコート積層フィルム。
【請求項３】
表面側から順に第１ハードコート、第２ハードコート、及び樹脂フィルムの層を有し、
上記第１ハードコートは、
（Ａ）多官能（メタ）アクリレート １００質量部；
（Ｂ）撥水剤 ０．０１〜７質量部；及び
（Ｃ）シランカップリング剤 ０．０１〜１０質量部；
を含み、かつ無機粒子を含まない塗料からなり；
上記第２ハードコートは、
（Ａ）多官能（メタ）アクリレート １００質量部；及び
（Ｄ）平均粒子径  １〜３００ｎｍの無機微粒子 ５０〜３００質量部；
を含む塗料からなり；
上記樹脂フィルムは、（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層を少なくとも１層含む；
ハードコート積層フィルム。
【請求項４】
上記（Ｂ）撥水剤が、（メタ）アクリロイル基含有フルオロポリエーテル系撥水剤を含む、請求項３に記載のハードコート積層フィルム。
【請求項５】
上記（Ｃ）シランカップリング剤が、アミノ基を有するシランカップリング剤、及びメルカプト基を有するシランカップリング剤からなる群から選択される１種以上を含む、請求項３又は４に記載のハードコート積層フィルム。
【請求項６】
上記第２ハードコートを形成する塗料が、更に（Ｅ）レベリング剤 ０．０１〜１質量部；を含む、請求項３〜５の何れか１項に記載のハードコート積層フィルム。
【請求項７】
上記第１ハードコートを形成する塗料が、更に（Ｆ）平均粒子径  ０．５〜１０μｍの樹脂微粒子０．０１〜１５質量部；を含む、請求項１〜６の何れか１項に記載のハードコート積層フィルム。
【請求項８】
表面側から順に第１ハードコート、第２ハードコート、及び樹脂フィルムの層を有し、
上記第１ハードコートは無機粒子を含まない塗料からなり；
上記第２ハードコートは無機粒子を含む塗料からなり；
上記樹脂フィルムは、（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層を少なくとも１層含み；
下記（イ）〜（ハ）を満たすハードコート積層フィルム。
（イ）全光線透過率が８５％以上。
（ロ）上記第１ハードコート表面の鉛筆硬度が５Ｈ以上。
（ハ）黄色度指数  ３以下。
【請求項９】
更に、下記（ニ）及び（ホ）を満たす請求項８に記載のハードコート積層フィルム。
（ニ）上記第１ハードコート表面の水接触角が１００度以上。
（ホ）上記第１ハードコート表面の往復２万回綿拭後の水接触角が１００度以上。
【請求項１０】
表面側から順に第１ハードコート、第２ハードコート、及び樹脂フィルムの層を有し、
上記第１ハードコートは無機粒子を含まない塗料からなり；
上記第２ハードコートは無機粒子を含む塗料からなり；
上記樹脂フィルムは、（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層を少なくとも１層含み；
下記（ニ）及び（ホ）を満たすハードコート積層フィルム。
（ニ）上記第１ハードコート表面の水接触角が１００度以上。
（ホ）上記第１ハードコート表面の往復２万回綿拭後の水接触角が１００度以上。
【請求項１１】
更に、下記（ロ）を満たす、請求項１０に記載のハードコート積層フィルム。
（ロ）上記第１ハードコート表面の鉛筆硬度が５Ｈ以上。
【請求項１２】
上記第１ハードコートが撥水剤を含み、かつ無機粒子を含まない塗料からなる請求項８〜１１の何れか１項に記載のハードコート積層フィルム。
【請求項１３】
上記第１ハードコートが、（Ａ）多官能（メタ）アクリレート １００質量部；及び（Ｂ）撥水剤 ０．０１〜７質量部；を含み、かつ無機粒子を含まない塗料からなる請求項８〜１２の何れか１項に記載のハードコート積層フィルム。
【請求項１４】
上記第１ハードコートの厚みが、０．５〜５μｍである、請求項３〜１３の何れか１項に記載のハードコート積層フィルム。
【請求項１５】
上記第２ハードコートの厚みが、５〜３０μｍである、請求項３〜１４の何れか１項に記載のハードコート積層フィルム。
【請求項１６】
上記樹脂フィルムが、
（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層；
（β）芳香族ポリカーボネート系樹脂の層；、及び
（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層；が、
この順に直接積層された多層樹脂フィルムである；
請求項１〜１５の何れか１項に記載のハードコート積層フィルム。
【請求項１７】
上記樹脂フィルムが、
（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層；
（γ）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂１００質量部とコアシェルゴム１〜１００質量部を含む樹脂組成物の層；及び
（α）重合性モノマーに由来する構造単位の総和を１００モル％として、メチルメタクリレートに由来する構造単位を５０〜９５モル％の量で、及びビニルシクロヘキサンに由来する構造単位を５０〜５モル％の量で含むアクリル系樹脂の層；が、
この順に直接積層された多層樹脂フィルムである；
請求項１〜１５の何れか１項に記載のハードコート積層フィルム。
【請求項１８】
請求項１〜１７の何れか１項に記載のハードコート積層フィルムを含む物品。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
ＰＤＬデータに含まれるＰＤＬ描画命令を解釈し、オブジェクトを生成するＰＤＬ解釈手段と、
レンダリング処理における最適化によって前記オブジェクトに施される変化を予測し、前記変化後のオブジェクトの特徴を示すパラメータ値を推定する最適化予測手段と、
前記パラメータ値に基づいて前記ＰＤＬデータの印刷予測時間を導出する予測時間導出手段とを備え、
前記最適化予測手段は、
前記レンダリング処理を行わずに前記パラメータ値を推定する
ことを特徴とする印刷時間予測装置。
【請求項２】
前記最適化は、複数の前記オブジェクトが単一のオブジェクトに結合されるオブジェクト結合である
ことを特徴とする請求項１に記載の印刷時間予測装置。
【請求項３】
前記最適化は、前記オブジェクトが複数のオブジェクトに分割されるオブジェクト分割である
ことを特徴とする請求項１に記載の印刷時間予測装置。
【請求項４】
前記パラメータ値を取得し、取得した前記パラメータ値が前記オブジェクトの種別ごとに対応付けられたプロファイルを生成するプロファイル生成手段をさらに備える
ことを特徴とする請求項１から３のいずれか１項に記載の印刷時間予測装置。
【請求項５】
前記予測時間導出手段は、
前記パラメータ値を所定の計算式で計算することにより前記印刷予測時間を算出する
ことを特徴とする請求項１から４のいずれか１項に記載の印刷時間予測装置。
【請求項６】
オブジェクトの外形をパス、オブジェクトの外形をトレースして取得されるベクトル情報をエッジとした場合、
前記パラメータ値は、前記変化後のオブジェクトにおいて、前記パスを構成するピクセルの合計値であるピクセル数、前記エッジにおける傾きの変化点の合計値であるセグメント数、前記パス内におけるスキャンライン数の合計値であるスパン数の少なくとも１つである
ことを特徴とする請求項１から５のいずれか１項に記載の印刷時間予測装置。
【請求項７】
前記最適化予測手段は、
前記パラメータ値によって特定される特徴を有する擬似オブジェクトを生成し、
前記予測時間導出手段は、
前記擬似オブジェクトを解析することにより前記パラメータ値を取得する
ことを特徴とする請求項６に記載の印刷時間予測装置。
【請求項８】
前記最適化予測手段は、
前記擬似オブジェクトを、オブジェクトを内包する外接矩形を特定するバウンディングボックスの大きさ、前記ピクセル数、前記セグメント数、前記スパン数の優先順位で、前記変化後のオブジェクトの特徴に近似するように生成する
ことを特徴とする請求項７に記載の印刷時間予測装置。
【請求項９】
前記最適化予測手段は、
前記レンダリング処理を行わずに前記擬似オブジェクトを生成する
ことを特徴とする請求項７または８に記載の印刷時間予測装置。
【請求項１０】
前記予測時間導出手段によって導出された前記ＰＤＬデータの印刷予測時間を、当該ＰＤＬデータの印刷ジョブと対応付けて表示部に表示させる表示制御手段をさらに備える
ことを特徴とする請求項１から９のいずれか１項に記載の印刷時間予測装置。
【請求項１１】
前記ＰＤＬデータを受信する受信手段と、
前記受信されたＰＤＬデータの印刷指示をユーザから受け付ける受け付け手段と、
前記印刷指示の受け付けにしたがって、前記受信されたＰＤＬデータから前記最適化が行われた中間データを生成する第１の生成手段と、
前記生成された中間データからビットマップ画像を生成する第２の生成手段と、
前記生成されたビットマップ画像を印刷する印刷手段と、
を有し、
前記最適化予測手段、前記予測時間導出手段、前記表示制御手段は、前記ＰＤＬデータの受信後、かつ、前記印刷指示の受け付け前に、動作する
ことを特徴とする請求項１０に記載の印刷時間予測装置。
【請求項１２】
ＰＤＬデータに含まれるＰＤＬ描画命令を解釈し、オブジェクトを生成するＰＤＬ解釈ステップと、
レンダリング処理における最適化によって前記オブジェクトに施される変化を予測し、前記変化後のオブジェクトの特徴を示すパラメータ値を推定する最適化予測ステップと、
前記パラメータ値に基づいて前記ＰＤＬデータの印刷予測時間を導出する予測時間導出ステップとを備え、
前記最適化予測ステップによって、前記レンダリング処理を行わずに前記パラメータ値が推定される
ことを特徴とする印刷時間予測方法。
【請求項１３】
コンピュータを、請求項１から請求項１１のいずれか１項に記載の印刷時間予測装置の各手段として機能させるためのプログラム。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
被着体に静電吸着可能な保護シートと、前記保護シートに静電吸着した基材とを備え、
前記保護シートが、前記基材と接する側の面に設けられ且つ少なくとも１種以上のポリオレフィン樹脂を含有する吸着層と、前記基材と接する側の面と反対の面側に設けられたコート層とを有し、
前記ポリオレフィン樹脂の少なくとも１種以上の融点が２００℃以上である
ことを特徴とする静電吸着シート。
【請求項２】
前記融点が２００℃以上のポリオレフィン樹脂が、モノマー成分として４−メチル−１−ペンテンを含むポリオレフィン（共）重合体を含む、
請求項１に記載の静電吸着シート。
【請求項３】
前記吸着層が、前記ポリオレフィン樹脂の総量に対して、前記融点が２００℃以上のポリオレフィン樹脂５０〜１００質量％と、前記融点が２００℃以上のポリオレフィン樹脂以外のポリオレフィン樹脂５０〜０質量％とを含有する、
請求項１又は２に記載の静電吸着シート。
【請求項４】
前記保護シートは、前記吸着層側の面の表面抵抗率が１×１０13〜９×１０17Ωであり、
前記基材は、前記吸着層と接する側の面の表面抵抗率が１×１０13〜９×１０17Ωである、
請求項１〜３のいずれか１項に記載の静電吸着シート。
【請求項５】
前記コート層側の面の表面抵抗率が１×１０-1Ω〜９×１０12Ωであり、
前記基材側の面の表面抵抗率が１×１０-1Ω〜９×１０12Ωである、
請求項１〜４のいずれか１項に記載の静電吸着シート。
【請求項６】
前記保護シートは、前記吸着層側の面の中心面平均粗さ（ＳＲａ）が０．０１〜５μｍである、
請求項１〜５のいずれか１項に記載の静電吸着シート。
【請求項７】
前記保護シートに直流コロナ放電による電荷注入を施した後に前記基材を静電吸着した請求項１〜６のいずれか１項に記載の静電吸着シート。
【手続補正２】
【補正対象書類名】明細書
【補正対象項目名】０００９
【補正方法】変更
【補正の内容】
【０００９】
すなわち、本発明は、以下に示す種々の具体的態様を提供する。
［１］被着体に静電吸着可能な保護シートと、前記保護シートに静電吸着した基材とを備
え、前記保護シートが、前記基材と接する側の面に設けられ且つ少なくとも１種以上のポ
リオレフィン樹脂を含有する吸着層と、前記基材と接する側の面と反対の面側に設けられ
たコート層とを有し、前記ポリオレフィン樹脂の少なくとも１種以上の融点が２００℃以
上であることを特徴とする静電吸着シート。
【手続補正３】
【補正対象書類名】明細書
【補正対象項目名】００１０
【補正方法】変更
【補正の内容】
【００１０】
［２］前記融点が２００℃以上のポリオレフィン樹脂が、モノマー成分として４−メチル−１−ペンテンを含むポリオレフィン（共）重合体を含む、上記［１］に記載の静電吸着シート。
［３］前記吸着層が、前記ポリオレフィン樹脂の総量に対して、前記融点が２００℃以上のポリオレフィン樹脂５０〜１００質量％と、前記融点が２００℃以上のポリオレフィン樹脂以外のポリオレフィン樹脂５０〜０質量％とを含有する、上記［１］又は［２］に記載の静電吸着シート。
［４］前記保護シートは、前記吸着層側の面の表面抵抗率が１×１０13〜９×１０17Ωであり、前記基材は、前記吸着層と接する側の面の表面抵抗率が１×１０13〜９×１０17Ωである、上記［１］〜［３］のいずれか１項に記載の静電吸着シート。
［５］前記コート層側の面の表面抵抗率が１×１０-1Ω〜９×１０12Ωであり、前記基材側の面の表面抵抗率が１×１０-1Ω〜９×１０12Ωである、上記［１］〜［４］のいずれか１項に記載の静電吸着シート。
［６］前記保護シートは、前記吸着層側の中心面平均粗さ（ＳＲａ）が０．０１〜５μｍである、上記［１］〜［５］のいずれか１項に記載の静電吸着シート。
［７］前記保護シートに直流コロナ放電による電荷注入を施した後に前記基材を静電吸着した上記［１］〜［６］のいずれか１項に記載の静電吸着シート。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
画像形成装置であって、
搬送路に沿って記録紙を搬送する搬送手段と、
前記記録紙に画像を形成する画像形成手段と、
前記搬送路に沿って搬送されている記録紙を検知するための複数のセンサと、
前記搬送手段を前記画像形成装置の装置本体から引き出すために開けられるカバーと、
前記カバーをロックするロック手段と、
前記搬送路においてジャムが発生した場合に、前記複数のセンサの検知結果から、前記搬送路において滞留している記録紙の位置を判定する判定手段と、
前記判定手段によって判定された前記搬送路において滞留している記録紙の位置に基づいて、前記ロック手段により前記カバーをロックし、該カバーをロックしたことを示す第一画面と、前記ジャムの解消処理の処理手順を説明する第二画面とを操作部に表示する制御手段と
を備えることを特徴とする画像形成装置。
【請求項２】
前記制御手段は、
前記第一画面を前記操作部に表示した後に、所定のユーザ入力を受け付けると、前記第二画面を前記操作部に表示することを特徴とする請求項１に記載の画像形成装置。
【請求項３】
前記制御手段は、
前記第二画面を前記操作部に表示している間に、前記複数のセンサの検知結果から紙破れが発生する可能性のある記録材が取り除かれたか否かを判断し、取り除かれると前記カバーのロックを解除することを特徴とする請求項１又は２に記載の画像形成装置。
【請求項４】
前記第二画面は、前記カバーがロックされている間はその旨を表示し、該カバーのロックが解除されるとその旨の表示を非表示にすることを特徴とする請求項３に記載の画像形成装置。
【請求項５】
前記判定手段は、複数のユニットにまたがって滞留している記録材があれば、紙破れの発生する可能性があると判定することを特徴とする請求項１乃至４の何れか１項に記載の画像形成装置。
【請求項６】
前記搬送手段は、記録材に画像を定着させる定着搬送ユニット、原稿を読み込むためのリーダ部、又は、記録材を収容するカセットであることを特徴とする請求項１乃至５の何れか１項に記載の画像形成装置。
【請求項７】
画像形成装置であって、
搬送路に沿って記録紙を搬送する搬送手段と、
前記記録紙に画像を形成する画像形成手段と、
前記搬送路に沿って搬送されている記録紙を検知するための複数のセンサと、
前記搬送手段を前記画像形成装置の装置本体から引き出すために開けられるカバーと、
前記搬送手段の引出しをロックするロック手段と、
前記搬送路においてジャムが発生した場合に、前記複数のセンサの検知結果から、前記搬送路において滞留している記録紙の位置を判定する判定手段と、
前記判定手段によって判定された前記搬送路において滞留している記録紙の位置に基づいて、前記ロック手段により前記搬送手段の引き出しをロックし、前記搬送手段の引き出しをロックしたことを示す第一画面と、前記ジャムの解消処理の処理手順を説明する第二画面とを操作部に表示する制御手段と
を備えることを特徴とする画像形成装置。
【請求項８】
搬送路に沿って記録紙を搬送する搬送手段と、前記記録紙に画像を形成する画像形成手段と、前記搬送路に沿って搬送されている記録紙を検知するための複数のセンサと、前記搬送手段を装置本体から引き出すために開けられるカバーと、前記カバーをロックするロック手段と、を備える画像形成装置の制御方法であって、
判定手段が、前記搬送路においてジャムが発生した場合に、前記複数のセンサの検知結果から、前記搬送路において滞留している記録紙の位置を判定する判定工程と、
制御手段が、前記判定工程で判定された前記搬送路において滞留している記録紙の位置に基づいて、前記ロック手段により前記カバーをロックし、該カバーをロックしたことを示す第一画面と、前記ジャムの解消処理の処理手順を説明する第二画面とを操作部に表示する制御工程と
を含むことを特徴とする画像形成装置の制御方法。
【請求項９】
搬送路に沿って記録紙を搬送する搬送手段と、前記記録紙に画像を形成する画像形成手段と、前記搬送路に沿って搬送されている記録紙を検知するための複数のセンサと、前記搬送手段を装置本体から引き出すために開けられるカバーと、前記カバーをロックするロック手段と、を備える画像形成装置の制御方法における各工程をコンピュータに実行させるためのプログラムであって、
前記制御方法は、
判定手段が、前記搬送路においてジャムが発生した場合に、前記複数のセンサの検知結果から、前記搬送路において滞留している記録紙の位置を判定する判定工程と、
制御手段が、前記判定工程で判定された前記搬送路において滞留している記録紙の位置に基づいて、前記ロック手段により前記カバーをロックし、該カバーをロックしたことを示す第一画面と、前記ジャムの解消処理の処理手順を説明する第二画面とを操作部に表示する制御工程と
を含むことを特徴とするプログラム。
【手続補正２】
【補正対象書類名】明細書
【補正対象項目名】０００８
【補正方法】変更
【補正の内容】
【０００８】
本発明は、画像形成装置であって、搬送路に沿って記録紙を搬送する搬送手段と、前記記録紙に画像を形成する画像形成手段と、前記搬送路に沿って搬送されている記録紙を検知するための複数のセンサと、前記搬送手段を前記画像形成装置の装置本体から引き出すために開けられるカバーと、前記カバーをロックするロック手段と、前記搬送路においてジャムが発生した場合に、前記複数のセンサの検知結果から、前記搬送路において滞留している記録紙の位置を判定する判定手段と、前記判定手段によって判定された前記搬送路において滞留している記録紙の位置に基づいて、前記ロック手段により前記カバーをロックし、該カバーをロックしたことを示す第一画面と、前記ジャムの解消処理の処理手順を説明する第二画面とを操作部に表示する制御手段とを備えることを特徴とする。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
キャラクタの属性値に基づいて、ゲームを進行させる実行部と、
第１のキャラクタと、当該第１のキャラクタに対応する第２のキャラクタの合成指示により、当該第１のキャラクタの属性値をプレイヤにとって有利に変化させる合成部と、
少なくとも時間経過により、前記第１のキャラクタの前記属性値をプレイヤにとって有利に変化させる経時部と、
を備える情報処理装置。
【請求項２】
前記合成指示によりキャラクタの属性値が変化した場合、前記経時部がキャラクタの属性値を更に変化させるために必要な時間が、当該合成指示までに経過した時間に対応する時間分短縮される、
ことを特徴とする請求項１に記載の情報処理装置。
【請求項３】
キャラクタの属性値に基づいて、ゲームを進行させる実行部と、
第１のキャラクタと、当該第１のキャラクタに対応する第２のキャラクタの合成指示により、当該第１のキャラクタを第３のキャラクタに進化させる合成部と、
少なくとも時間経過により、前記第１のキャラクタを前記第３のキャラクタに進化させる経時部と、
を備える情報処理装置。
【請求項４】
前記合成指示によりキャラクタが進化した場合、前記経時部がキャラクタを更に進化させるために必要な時間が、当該合成指示までに経過した時間に対応する時間分短縮される、
ことを特徴とする請求項３に記載の情報処理装置。
【請求項５】
コンピュータを、
キャラクタの属性値に基づいて、ゲームを進行させる実行手段、
第１のキャラクタと、当該第１のキャラクタに対応する第２のキャラクタの合成指示により、当該第１のキャラクタの属性値をプレイヤにとって有利に変化させる合成手段、
少なくとも時間経過により、前記第１のキャラクタの前記属性値をプレイヤにとって有利に変化させる経時手段、
として機能させるプログラム。
【請求項６】
コンピュータを、
キャラクタの属性値に基づいて、ゲームを進行させる実行部と、
第１のキャラクタと、当該第１のキャラクタに対応する第２のキャラクタの合成指示により、当該第１のキャラクタを第３のキャラクタに進化させる合成手段、
少なくとも時間経過により、前記第１のキャラクタを前記第３のキャラクタに進化させる経時手段、
として機能させるプログラム。
【手続補正書】
【提出日】平成30年12月13日(2018.12.13)
【手続補正１】
【補正対象書類名】明細書
【補正対象項目名】００１２
【補正方法】変更
【補正の内容】
【００１２】
本発明の圧縮空気噴射装置は、濾布式集塵機のフィルターに圧縮空気を噴射する圧縮空気噴射装置であって、圧縮空気が流通する空気流通管と、当該空気流通管から送られる空気を外部の空気を誘引することによって増幅して前記フィルターに噴射する空気増幅装置と、を備えており、前記空気流通管は、当該空気流通管から前記空気増幅装置に送る空気が通過する空気流出口を有し、前記空気増幅装置は、前記空気流出口に接続する空気流入口および当該空気流入口を経て導入される空気を噴射する環状の噴射孔が設けられ、内部に環状の空間が形成されている環状部と、当該環状部に連設され、前記噴射孔から噴射される空気を誘引される空気とともに前記フィルターに送出する筒状の送出部と、を有し、前記環状部は、上壁部と下壁部とが外周端でかしめによって接合されて構成されており、前記空気流入口は、前記環状部の前記下壁部に設けられており、前記送出部の先端は、前記フィルターの内部にまで延伸しており、当該送出部の径方向外側には、前記フィルターの上端開口部を覆うカバー部材が設置されており、前記空気増幅装置の前記送出部には、当該送出部を径方向内側に挿入する円筒形状を呈しているストッパを設けており、当該ストッパの外周面には、止めねじが螺入されるねじ孔が周方向に等角度間隔に複数個並んで形成されており、さらに、当該ストッパは、前記圧縮空気噴射装置が濾布式集塵機に取り付けられた状態において、当該ストッパの下端面が前記カバー部材の上面に当接する位置で、前記止めねじを締め込むことによって前記送出部に対して固定されていることを特徴とする。
【手続補正２】
【補正対象書類名】特許請求の範囲
【補正対象項目名】全文
【補正方法】変更
【補正の内容】
【特許請求の範囲】
【請求項１】
濾布式集塵機のフィルターに圧縮空気を噴射する圧縮空気噴射装置であって、  圧縮空気が流通する空気流通管と、当該空気流通管から送られる空気を外部の空気を誘引することによって増幅して前記フィルターに噴射する空気増幅装置と、を備えており、  前記空気流通管は、当該空気流通管から前記空気増幅装置に送る空気が通過する空気流出口を有し、  前記空気増幅装置は、前記空気流出口に接続する空気流入口および当該空気流入口を経て導入される空気を噴射する環状の噴射孔が設けられ、内部に環状の空間が形成されている環状部と、当該環状部に連設され、前記噴射孔から噴射される空気を誘引される空気とともに前記フィルターに送出する筒状の送出部と、を有し、  前記環状部は、上壁部と下壁部とが外周端でかしめによって接合されて構成されており、  前記空気流入口は、前記環状部の前記下壁部に設けられており、  前記送出部の先端は、前記フィルターの内部にまで延伸しており、当該送出部の径方向外側には、前記フィルターの上端開口部を覆うカバー部材が設置されており、
前記空気増幅装置の前記送出部には、当該送出部を径方向内側に挿入する円筒形状を呈しているストッパを設けており、
当該ストッパの外周面には、止めねじが螺入されるねじ孔が周方向に等角度間隔に複数個並んで形成されており、さらに、当該ストッパは、前記圧縮空気噴射装置が濾布式集塵機に取り付けられた状態において、当該ストッパの下端面が前記カバー部材の上面に当接する位置で、前記止めねじを締め込むことによって前記送出部に対して固定されていることを特徴とする圧縮空気噴射装置。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
遊技盤面上の特定入賞口に遊技球が入賞すると、抽選によることなく他の入賞口を開放させ、該開放した他の入賞口内の特定領域に遊技球が入球すれば遊技者に有利な遊技を実行可能な弾球遊技機において、
前記特定入賞口又は前記他の入賞口に入賞する遊技球の数に従って画面上に表示される画像を変化させることを特徴とする弾球遊技機。
【請求項２】
請求項１に記載の遊技機において、
少なくとも遊技者が遊技を行っていない待機状態中に、前記特定入賞口又は前記他の入賞口に入賞する遊技球の数と対応する前記画像との関係を表示する対応表示手段と、
前記特定入賞口又は前記他の入賞口に入賞する遊技球の数をカウントするカウント手段と、
該カウント手段によりカウントされる遊技球の数が前記対応表示手段に表示された数に至れば、対応する前記画像に変化させる画像変化手段と、
を備えたことを特徴とする弾球遊技機。
【請求項３】
請求項１に記載の遊技機において、
少なくとも遊技者が遊技を行っていない待機状態中に、前記特定入賞口又は前記他の入賞口に入賞する遊技球の数と対応する前記画像との一覧を表示する一覧画像表示手段と、
前記特定入賞口又は前記他の入賞口に入賞する遊技球の数をカウントするカウント手段と、
該カウント手段によりカウントされる遊技球の数が前記一覧画像表示手段に表示された数に至る毎に、対応する前記画像に変化させる画像変化手段と、
を備えたことを特徴とする弾球遊技機。
【手続補正２】
【補正対象書類名】明細書
【補正対象項目名】０００５
【補正方法】変更
【補正の内容】
【０００５】
上記課題に鑑みてなされた請求項１に係る発明は、遊技盤面上の特定入賞口に遊技球が入賞すると、抽選によることなく他の入賞口を開放させ、該開放した他の入賞口内の特定領域に遊技球が入球すれば遊技者に有利な遊技を実行可能な弾球遊技機において、
前記特定入賞口又は前記他の入賞口に入賞する遊技球の数に従って画面上に表示される画像を変化させることを特徴とする弾球遊技機である。
【手続補正３】
【補正対象書類名】明細書
【補正対象項目名】０００６
【補正方法】変更
【補正の内容】
【０００６】
請求項１に記載の弾球遊技機は、始動口又は作動口に遊技球が入球することにより抽選する弾球遊技機以外を対象とする。
例えば、特定の入賞口に入賞することにより、乱数の抽選を行うことなく直接他の入賞口の入り口を開放又は拡大させる弾球遊技機が対象となる。
特定入賞口又は他の入賞口に入賞する遊技球の数に従って画面上に表示される画像を変化させるとは、遊技を開始してから特定入賞口又は他の入賞口に入賞する遊技球の数の増加に従って画面の画像を変化させる手段であれば良い。
画像を変化させるとは、入賞する遊技球の数の増加に従ってストーリを展開させるもの、画像の演出モードを変更するもの、表示されるキャラクタ又は人物を変更するもの、又は背景画像を変化させるもの等が考えられる。
【手続補正４】
【補正対象書類名】明細書
【補正対象項目名】００１０
【補正方法】変更
【補正の内容】
【００１０】
請求項２に記載の弾球遊技機は、
請求項１に記載の弾球遊技機において、
少なくとも遊技者が遊技を行っていない待機状態中に、前記特定入賞口又は前記他の入賞口に入賞する遊技球の数と対応する前記画像との関係を表示する対応表示手段と、
前記特定入賞口又は前記他の入賞口に入賞する遊技球の数をカウントするカウント手段と、
該カウント手段によりカウントされる遊技球の数が前記対応表示手段に表示された数に至れば、対応する前記画像に変化させる画像変化手段と、
を備えたことを特徴とする弾球遊技機である。
【手続補正５】
【補正対象書類名】明細書
【補正対象項目名】００１３
【補正方法】変更
【補正の内容】
【００１３】
請求項３に記載の弾球遊技機は、請求項１に記載の遊技機において、
少なくとも遊技者が遊技を行っていない待機状態中に、前記特定入賞口又は前記他の入賞口に入賞する遊技球の数と対応する前記画像との一覧を表示する一覧画像表示手段、
前記特定入賞口又は前記他の入賞口に入賞する遊技球の数をカウントするカウント手段と、
該カウント手段によりカウントされる遊技球の数が前記一覧画像表示手段に表示された数に至る毎に、対応する前記画像に変化させる画像変化手段と、
を備えたことを特徴とする弾球遊技機である
【手続補正６】
【補正対象書類名】明細書
【補正対象項目名】００１６
【補正方法】変更
【補正の内容】
【００１６】
請求項１〜請求項３に記載の弾球遊技機では、特定入賞口等に入賞する遊技球の数に従って画像を変化させる構成としたが、遊技者に払い出される賞球数の合計から発射された球数を減算した所謂「差球数」に従って画像を変化させる構成としても良い。
この構成の場合、差球数が所定個数に至れば所謂「打ち止め」として強制的に遊技を終了させる構成を採用しても良い。 
強制的に終了させた場合には、カウントした差球数をクリアすることが好適である。
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
第１スライスを対象としたＴ１緩和時間の分布の収集と、前記第１スライスと交差しない第２スライスを対象とし、前記Ｔ１緩和時間の分布とは異なる種別の収集とを、単一のプロトコルにより実行する制御部を具備する、
磁気共鳴イメージング装置。
【請求項２】
前記制御部は、前記Ｔ１緩和時間の分布の収集における縦磁化の回復期間において、前記第２スライスを対象とした前記異なる種別の収集を実行する、
請求項１に記載の磁気共鳴イメージング装置。
【請求項３】
前記異なる種別の収集は、前記第１スライスにおける縦磁化の回復に影響を与えない収集である、
請求項１または２に記載の磁気共鳴イメージング装置。
【請求項４】
前記Ｔ１緩和時間の分布の収集により第１画像を再構成し、前記異なる種別の収集により前記第１画像とは異なる種別の第２画像を再構成するデータ処理部をさらに具備し、
前記第２画像は、前記第２スライスにおけるシネ画像である、
請求項１乃至３のうちいずれか一項に記載の磁気共鳴イメージング装置。
【請求項５】
前記Ｔ１緩和時間の分布の収集により第１画像を再構成し、前記異なる種別の収集により前記第１画像とは異なる種別の第２画像を再構成するデータ処理部をさらに具備し、
前記第２画像は、前記第２スライスにおける流体の流速を示す流速画像である、
請求項１乃至３のうちいずれか一項に記載の磁気共鳴イメージング装置。
【請求項６】
前記異なる種別の収集は、位相コントラスト法を用いた収集である、
請求項５に記載の磁気共鳴イメージング装置。
【請求項７】
前記Ｔ１緩和時間の分布の収集により第１画像を再構成し、前記異なる種別の収集により前記第１画像とは異なる種別の第２画像を再構成するデータ処理部をさらに具備し、
前記第２画像は、前記第２スライスにおけるＴ２＊緩和時間の分布を示す画像である、
請求項１乃至３のうちいずれか一項に記載の磁気共鳴イメージング装置。
【請求項８】
前記プロトコルは、前記Ｔ１緩和時間の分布の収集として、ＭＯＬＬＩ（Ｍｏｄｉｆｉｅｄ  Ｌｏｏｋ−Ｌｏｃｋｅｒ  Ｉｎｖｅｒｓｉｏｎ  Ｒｅｃｏｖｅｒｙ）法に対応する撮像シーケンスを有する、
請求項１乃至７のうちいずれか一項に記載の磁気共鳴イメージング装置。
【請求項９】
前記第１スライスと前記第２スライスとは、互いに平行であって、所定の間隔だけ離れている、
請求項１乃至８のうちいずれか一項に記載の磁気共鳴イメージング装置。
【請求項１０】
前記第１スライスおよび前記第２スライスは、撮像対象部位として心臓に関するスライスである、
請求項１乃至９のうちいずれか一項に記載の磁気共鳴イメージング装置。
【請求項１１】
前記制御部は、
前記Ｔ１緩和時間の分布の収集と、
前記Ｔ１緩和時間の分布の収集における縦磁化の回復に関する２つの回復期間における一方の回復期間において、前記第２スライスを対象とし、前記Ｔ１緩和時間の分布とは異なる種別の収集と、
前記２つの回復期間における他方の回復期間において、前記第１スライスおよび前記第２スライスとは交差しない第３スライスを対象とし、前記Ｔ１緩和時間の分布とは異なる種別の収集とを、
前記単一のプロトコルにより実行する、
請求項１に記載の磁気共鳴イメージング装置。
【請求項１２】
前記制御部は、
前記Ｔ１緩和時間の分布の収集と、
前記Ｔ１緩和時間の分布の収集における縦磁化の緩和に関する２つの回復期間における一方の回復期間において、前記第２スライスを対象とし、前記Ｔ１緩和時間の分布とは異なる種別の収集とを、前記単一のプロトコルにより実行し、
前記２つの回復期間における他方の回復期間において、前記第１スライスおよび前記第２スライスとは交差しない第３スライスを対象とし、前記Ｔ１緩和時間の分布および前記種別とはさらに異なる種別の収集を、
前記単一のプロトコルにより実行する、
請求項１に記載の磁気共鳴イメージング装置。
【請求項１３】
前記制御部は、前記Ｔ１緩和時間の分布の収集として、空間非選択の反転回復パルスを送信ＲＦコイルに印加する、
請求項１乃至１２のうちいずれか一項に記載の磁気共鳴イメージング装置。
【手続補正２】
【補正対象書類名】明細書
【補正対象項目名】０００７
【補正方法】変更
【補正の内容】
【０００７】
本実施形態に係る磁気共鳴イメージング装置は、第１スライスを対象としたＴ１緩和時間の分布の収集と、前記第１スライスと交差しない第２スライスを対象とし、前記Ｔ１緩和時間の分布とは異なる種別の収集とを、単一のプロトコルにより実行する制御部を具備する。
【手続補正書】
【提出日】平成31年1月16日(2019.1.16)
【手続補正１】
【補正対象書類名】明細書
【補正対象項目名】００８９
【補正方法】変更
【補正の内容】
【００８９】
近接ガイド部２５の傾斜面２５ａは、カートリッジ式化粧料容器１が組み立てられた状態において、押棒６０に対して雌ねじ部材５０の雌ねじ部５３側の端部２５ｂが、雌ねじ部５３とは反対側の端部２５ｃよりも前端開口２２側に位置するように傾斜する。そのため、雌ねじ部材５０は、カートリッジ外筒１０が本体筒２０に取り付けられる際には、カートリッジ外筒１０により押圧されて軸方向に移動するとともに、雌ねじ部５３を雄ねじ６１ａに近接させる方向に案内される。このように、近接ガイド部２５は、カートリッジ外筒１０が本体筒２０に取り付けられ雌ねじ部材５０がカートリッジ外筒１０によって押圧された際に雌ねじ部５３と雄ねじ６１ａとが螺合する方向に雌ねじ部材５０を案内する。
【手続補正２】
【補正対象書類名】明細書
【補正対象項目名】００９３
【補正方法】変更
【補正の内容】
【００９３】
離間ガイド部４４の傾斜面４４ａは、カートリッジ式化粧料容器１が組み立てられた状態において、押棒６０に対して雌ねじ部材５０の雌ねじ部５３側の端部４４ｃが、雌ねじ部５３とは反対側の端部４４ｄよりも前端開口４１側に位置するように傾斜する。そのため、雌ねじ部材５０は、カートリッジ外筒１０が本体筒２０から取り外される際には、ラチェット部材８０を介してコイルばね７により付勢されて軸方向に移動するとともに、雌ねじ部５３を雄ねじ６１ａから離間させる方向に案内される。このように、離間ガイド部４４は、カートリッジ外筒１０による雌ねじ部材５０への押圧が解除された際に雌ねじ部５３と雄ねじ６１ａとの螺合が解除する方向に雌ねじ部材５０を案内する。
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
足に履物を履いた状態で歩行することにより足の前方横アーチを刺激し筋力をトレーニングする方法であって、
足が地面に接地した際に踵側に対してつま先側が高い状態に足裏を傾斜状態に前記履物のソールにより支持し、
少なくとも親指が乗るソール部分を柔軟材料若しくは弾性素材で形成して、前記ソールの親指を他の指から離間させる、若しくは前記ソールの親指の範囲を他の指の範囲に対して独立して沈み込みが促進するよう構成して、足が地面を蹴り出す際に親指を独立して沈み込ませることにより足の前方横アーチを強制的に動かすことを特徴とする筋力をトレーニングする方法。 
【請求項２】
足が地面に接地した際に踵側に対してつま先側が高い状態に足裏を傾斜状態に、つま先側から踵側にむかって厚さを減少するようにソールが傾斜しており、少なくとも親指が乗るソール部分を柔軟材料若しくは弾性素材で形成し、前記ソールの親指の範囲が他の指の範囲から独立して沈み込が促進されるように構成を異ならせていることを特徴とする履物。
【請求項３】
足が地面に接地した際に踵側に対してつま先側が高い状態に足裏を傾斜状態に、つま先側から踵側にむかって厚さを減少するようにソールが傾斜しており、少なくとも親指の直下のソール部分が柔軟材料若しくは弾性素材で形成され、さらに親指と他の指とを距離を離して分離するセパレータが設けられ、前記セパレータにより親指と他の指とを距離を離して分離することにより、親指を他の指から独立して沈み込ませることを特徴とする履物。
【請求項４】
足が地面に接地した際に踵側に対してつま先側が高い状態に足裏を傾斜状態に、つま先側から踵側にむかって厚さを減少するようにソールが傾斜しており、親指の輪郭の内側のソール部分はその外側のソール部分から分離されており、前記親指の輪郭の内側のソール部分は柔軟材料若しくは弾性素材で形成されて沈み込みが促進されており、親指を他の指から独立して沈み込ませることを特徴とする履物。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
複数コマの図柄を可変表示させる複数の可変表示要素を有し、
遊技媒体の投入下における可変表示開始操作に基づいて、内部抽せん用の乱数値を抽出し、予め定義した複数の当せんエリアに対する抽出した前記乱数値の属否により当せんエリアに含まれる所定の役の当否を決定する内部抽せん手段と、
前記可変表示要素の可変表示を、対応する停止操作に基づいて各停止させ、所定の有効ラインに前記内部抽せん手段により当せんと決定した当せんエリアに含まれる役に対応した図柄の組合せの表示を許容させて一回の遊技結果を導出させる可変表示制御手段とを含み、
所定の遊技結果を契機に生起させる遊技者に有利な有利遊技期間中に、所定の限定回数について特定の遊技結果を導出させる停止操作に成功したとき、前記有利遊技期間中の遊技媒体の純増数がより多くなる技術介入を可能にした遊技機において、
前記限定回数以内で前記特定の遊技結果を導出させる停止操作に成功したとき、この成功を遊技者に報知させる報知演出を実行する仕様にしていると共に、
前記限定回数を超えて前記特定の遊技結果を導出させる停止操作をしたとき、成功不成功にかかわらず、遊技結果の導出に伴う通常演出に代えて遊技者に注意を喚起する変更演出を実行する仕様にしていることを特徴とする遊技機。
【請求項２】
複数コマの図柄を可変表示させる複数の可変表示要素を有し、
遊技媒体の投入下における可変表示開始操作に基づいて、内部抽せん用の乱数値を抽出し、予め定義した複数の当せんエリアに対する抽出した前記乱数値の属否により当せんエリアに含まれる所定の役の当否を決定する内部抽せん手段と、
前記可変表示要素の可変表示を、対応する停止操作に基づいて各停止させ、所定の有効ラインに前記内部抽せん手段により当せんと決定した当せんエリアに含まれる役に対応した図柄の組合せの表示を許容させて一回の遊技結果を導出させる可変表示制御手段とを含み、
所定の遊技結果を契機に生起させる遊技者に有利な有利遊技期間中に、所定の限定回数について特定の遊技結果を導出させる停止操作に成功したとき、前記有利遊技期間中の遊技媒体の純増数がより多くなる技術介入を可能にした遊技機において、
前記限定回数以内で前記特定の遊技結果を導出させる停止操作に成功したとき、この成功を遊技者に報知させる報知演出を実行する仕様にしていると共に、
前記限定回数を超えて前記特定の遊技結果を導出させる停止操作をしたとき、成功不成功にかかわらず、遊技結果の導出に伴う演出を実行しない仕様にしていることを特徴とする遊技機。
【請求項３】
複数コマの図柄を可変表示させる複数の可変表示要素を有し、
遊技媒体の投入下における可変表示開始操作に基づいて、内部抽せん用の乱数値を抽出し、予め定義した複数の当せんエリアに対する抽出した前記乱数値の属否により当せんエリアに含まれる所定の役の当否を決定する内部抽せん手段と、
前記可変表示要素の可変表示を、対応する停止操作に基づいて各停止させ、所定の有効ラインに前記内部抽せん手段により当せんと決定した当せんエリアに含まれる役に対応した図柄の組合せの表示を許容させて一回の遊技結果を導出させる可変表示制御手段とを含み、
所定の遊技結果を契機に生起させる遊技者に有利な有利遊技期間中に、所定の限定回数について特定の遊技結果を導出させる停止操作に成功したとき、前記有利遊技期間中の遊技媒体の純増数がより多くなる技術介入を可能にした遊技機において、
前記限定回数以内で前記特定の遊技結果を導出させる停止操作に成功したとき、この成功を遊技者に報知させる報知演出を実行する仕様にしていると共に、
前記限定回数を超えて前記特定の遊技結果を導出させる停止操作をしたとき、成功不成功にかかわらず、遊技結果の導出に伴う通常演出を実行する仕様にしていることを特徴とする遊技機。
【請求項４】
複数コマの図柄を可変表示させる複数の可変表示要素を有し、
遊技媒体の投入下における可変表示開始操作に基づいて、内部抽せん用の乱数値を抽出し、予め定義した複数の当せんエリアに対する抽出した前記乱数値の属否により当せんエリアに含まれる所定の役の当否を決定する内部抽せん手段と、
前記可変表示要素の可変表示を、対応する停止操作に基づいて各停止させ、所定の有効ラインに前記内部抽せん手段により当せんと決定した当せんエリアに含まれる役に対応した図柄の組合せの表示を許容させて一回の遊技結果を導出させる可変表示制御手段とを含み、
所定の遊技結果を契機に生起させる遊技者に有利な有利遊技期間中に、所定の限定回数について特定の遊技結果を導出させる停止操作に成功したとき、前記有利遊技期間中の遊技媒体の純増数がより多くなる技術介入を可能にした遊技機において、
前記限定回数以内で前記特定の遊技結果を導出させる停止操作に成功したとき、この成功を遊技者に報知させる報知演出を実行する仕様にしていることを特徴とする遊技機。
【手続補正２】
【補正対象書類名】明細書
【補正対象項目名】０００８
【補正方法】変更
【補正の内容】
【０００８】
以上の遊技機において、
前記限定回数以内で前記特定の遊技結果を導出させる停止操作に成功したとき、この成功を遊技者に報知させる報知演出（例えば、リールバックランプによる専用フラッシュ）を実行する仕様にしている。これと共に、
前記限定回数を超えて前記特定の遊技結果を導出させる停止操作（例えば、逆押し等の変則打ち）をしたとき、成功不成功にかかわらず、遊技結果の導出に伴う通常演出（例えば、リールバックランプによる入賞フラッシュ）に代えて遊技者に注意を喚起する変更演出（入賞フラッシュをしない演出）を実行する仕様にしてもよいし、遊技結果の導出に伴う演出を実行しない仕様にしてもよいし、遊技結果の導出に伴う通常演出を実行する仕様にしてもよい。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
光源からの照明光を被検眼の前眼部を照射する照明光学系と、
前記前眼部からの前記照明光の戻り光を撮像素子で受光することにより、前記被検眼の正面画像を得る観察光学系と、
前記観察光学系によって連続的に得られる複数の前記正面画像を処理することにより、前記ドライスポット形成位置および前記ドライスポットの周囲において涙液が移動する方向，のうち少なくとも一方と，前記角膜において涙液層が破壊された領域であるドライスポットの形状と，を検出し、その検出結果に応じて前記被検眼におけるドライアイの症状を判定する解析手段と、を備える眼科装置。
【請求項２】
前記解析手段は、線状に伸びたドライスポットが検出される場合に、傷を伴う型、および、ムチン減少型、との症状のうち、いずれかの症状であると判定する請求項１記載の眼科装置。
【請求項３】
前記解析手段は、類円状のドライスポットが検出される場合に、涙液減少型、および、ムチン減少型、との症状のうち、いずれかの症状であると判定する請求項１又は２記載の眼科装置。
【請求項４】
前記照明光学系は、同心円状のリング光束を前記照明光として前記前眼部へ照射し、
前記解析手段は、前記正面画像のうち前記リング光束が照射された領域であるリング照射領域の情報に基づいて、前記リング光束が照射されていない領域を含む角膜の各領域におけるドライスポットの形状と，涙液の分布と，を推定し、推定結果に基づいて前記時間的な変化を検出する請求項１から３のいずれかに記載の眼科装置。